(57)【要約】【課題】装置を小型にするとともに、コストを低減することができるドレン処理装置を提供する。【解決手段】前処理槽２０において、圧送された被処理液を排気するとともに、被処理液中のドレンから主に油分を吸着するようにし、後処理槽６０においては、ドレン中の乳化油を処理するだけでよく、前処理槽２０および後処理槽６０の２つの槽で、ドレンを処理することができるようにした。【選択図】図１
2005111308.tif 000002
【特許請求の範囲】
【請求項１】
コンプレッサー本体あるいは除湿機器の自動排水弁やエアタンクの排水弁に接続して、主としてドレン中の油分を処理するためのドレン処理装置において、
前記コンプレッサー本体等の排水弁に接続され、圧送された被処理液を排気するとともに、前記被処理液中のドレンから主に油分を吸着するための前処理槽と、前記油分を除いたドレン中の乳化油を主に処理するための後処理槽とを備えたことを特徴とするドレン処理装置。
【請求項２】
コンプレッサー本体あるいは除湿機器の自動排水弁やエアタンクの排水弁に接続して、主としてドレン中の油分を処理するためのドレン処理装置において、
前記コンプレッサー本体等の排水弁に接続され、圧送された被処理液を排気するとともに、前記被処理液中のドレンから主に油分を吸着するための前処理槽と、前記油分を除いたドレン中の乳化油を主に処理するための後処理槽とを備え、
前記前処理槽は、前記油分を吸着するためのフィルター部材が充填された１次前処理槽と、該１次前処理槽の下方に配され、前記油分を除いたドレン中の乳化油を主に分離吸着するためのフィルター部材が充填された２次前処理槽とを備えていることを特徴とするドレン処理装置。
【請求項３】
前記前処理槽は、１つの容器に収まるように配されていることを特徴とする請求項１または２に記載のドレン処理装置。
【請求項４】
前記前処理槽および前記後処理槽は１つの容器に収まるように配されていることを特徴とする請求項１または２に記載のドレン処理装置。
【請求項５】
前記容器は、ゴミ用ポリバケツを用いたものであることを特徴とする請求項３または４に記載のドレン処理装置。
【請求項６】
前記後処理槽は、前記前処理槽に嵌め込まれるように配されていることを特徴とする請求項１または４に記載のドレン処理装置。
【請求項７】
前記フィルター部材は、収納袋に詰め込まれていることを特徴とする請求項２に記載のドレン処理装置。
【請求項８】
前記１次前処理槽は、該１次前処理槽に被処理液を投入するための被処理液投入口が開設されていることを特徴とする請求項２に記載のドレン処理装置。
【発明の詳細な説明】
【技術分野】
【０００１】
本発明は、コンプレッサー本体の自動排水弁やエアタンクの排水弁に接続して、主としてドレン中の油分を処理するためのドレン処理装置に関する。その他、本ドレン処理装置は、アフタークーラー、エアドライヤー、エアフィルター等の自動または手動の排水弁に接続して用いられる。
【背景技術】
【０００２】
従来のドレン処理装置としては、本出願人が先に提案したものがある。すなわち、コンプレッサーから圧送された被処理液を排気するとともに、ドレンを取り出すための気液分離槽を備え、取り出されたドレンが供給管を通って浮上油分離槽に流れるようになっている。浮上油分離槽が油水分離塔と水分取出管とで構成され、油水分離塔にドレンを単に溜めることにより、溜ったドレンが浮上油と水分とに自然に分離し、分離した浮上油を逐次排出するようにし、浮上油を排出した以降ではドレン中の水分のみを処理すればよく、大量の被処理液を処理することができるものである（例えば、特許文献１参照。）。
【０００３】
【特許文献１】特開平５−１８４８１０号公報
【発明の開示】
【発明が解決しようとする課題】
【０００４】
しかしながら、このような従来のドレン処理装置では、気液分離槽と浮上油分離槽とが完全に別体の槽で構成されていて、部品点数が多く、組立工数も多くなり、製造コストが嵩み、また、装置全体が大型になるという問題点があった。
【０００５】
本発明は、このような従来の問題点に着目してなされたもので、部品点数および組立工数を少なくして、製造コストを低減し、装置を小型にすることができるドレン処理装置を提供することを目的としている。
【課題を解決するための手段】
【０００６】
かかる目的を達成するための本発明の要旨とするところは、次の各項の発明に存する。
［１］コンプレッサー本体あるいは除湿機器の自動排水弁やエアタンクの排水弁に接続して、主としてドレン中の油分を処理するためのドレン処理装置（１０ａ）において、
前記コンプレッサー本体等の排水弁に接続され、圧送された被処理液を排気するとともに、前記被処理液中のドレンから主に油分を吸着するための前処理槽（２０）と、前記油分を除いたドレン中の乳化油を主に処理するための後処理槽（６０）とを備えたことを特徴とするドレン処理装置（１０ａ）。
【０００７】
［２］コンプレッサー本体あるいは除湿機器の自動排水弁やエアタンクの排水弁に接続して、主としてドレン中の油分を処理するためのドレン処理装置（１０ａ）において、
前記コンプレッサー本体等の排水弁に接続され、圧送された被処理液を排気するとともに、前記被処理液中のドレンから主に油分を吸着するための前処理槽（２０）と、前記油分を除いたドレン中の乳化油を主に処理するための後処理槽（６０）とを備え、
前記前処理槽（２０）は、前記油分を吸着するためのフィルター部材（３６）が充填された１次前処理槽（３０）と、該１次前処理槽の下方に配され、前記油分を除いたドレン中の乳化油を主に分離吸着するためのフィルター部材（５６）が充填された２次前処理槽（５０）とを備えていることを特徴とするドレン処理装置（１０ａ）。
【０００８】
［３］前記前処理槽（２０）は、１つの容器（１１）に収まるように配されていることを特徴とする［１］または［２］に記載のドレン処理装置（１０ａ）。
【０００９】
［４］前記前処理槽（２０）および前記後処理槽（６０）は１つの容器（１１）に収まるように配されていることを特徴とする［１］または［２］に記載のドレン処理装置（１０ａ）。
【００１０】
［５］前記容器（１１）は、ゴミ用ポリバケツを用いたものであることを特徴とする［３］または［４］に記載のドレン処理装置（１０ａ）。
【００１１】
［６］前記後処理槽（６０）は、前記前処理槽（２０）に嵌め込まれるように配されていることを特徴とする［１］または［４］に記載のドレン処理装置（１０ａ）。
【００１２】
［７］前記フィルター部材（３６、５６）は、収納袋（３７、５７）に詰め込まれていることを特徴とする［２］に記載のドレン処理装置（１０ａ）。
【００１３】
［８］前記１次前処理槽（３０）は、該１次前処理槽（３０）に被処理液を投入するための被処理液投入口（２５）が開設されていることを特徴とする［２］に記載のドレン処理装置（１０ａ）。
【００１４】
次に、以上のドレン処理装置（１０ａ）において、被処理液がどのように処理されるかについて説明する。コンプレッサー本体等から被処理液が前処理槽（２０）に圧送されると、被処理液が排気され、また、被処理液中のドレンから主に油分が吸着される。油分を除いたドレンが後処理槽（６０）に流入されると、ドレン中の主として乳化油が処理される。このように、前処理槽（２０）において、被処理液の排気を行い、また、被処理液からドレンを得て、さらに、ドレン中の油分を除くようにしたので、後処理槽（６０）においては、ドレン中の乳化油を処理するだけでよく、すなわち、前処理槽および後処理槽の２つの槽で、ドレンを処理することができ、装置全体が小型になる。
【００１５】
次に、前処理槽（２０）は、油分を吸着するためのフィルター部材（３６）が充填された１次前処理槽（３０）と、１次前処理槽（３０）の下方に配され、油分を除いたドレン中の乳化油を主に吸着するためのフィルター部材（５６）が充填された２次前処理槽（５０）とを備えているものでは、前処理槽（２０）において、被処理液は以下のように処理される。前処理槽（２０）へ圧送された被処理液は、１次前処理槽（３０）で被処理液中のドレンが取り出され、そのドレン中の油分がフィルター部材（３６）によって吸着される。このように、油分が吸着されたドレンは、下方の２次前処理槽（５０）に流れ、２次前処理槽（５０）でドレン中の乳化油がフィルター部材（５６）によって分離吸着される。
【００１６】
１次前処理槽（３０）でドレン中の油分が吸着され、２次前処理槽（５０）でドレン中の乳化油が吸着されるので、後処理槽（６０）では、ドレン中の粒子がさらに細かな乳化油を処理するだけでよく、後処理槽（６０）を大型にしないで済む。
【００１７】
次に、前処理槽（２０）が１つの容器（１１）に収まるように配されているものでは、例えば、１次前処理槽（３０）と２次前処理槽（５０）とを別々の容器（１１）に収めないで済み、部品点数および、組立工数を減らすことができ、また、装置が軽量になり、さらに、装置に凹凸や突起感が少なくなって、すっきりしたデザインになる。
【００１８】
次に、前処理槽（２０）および後処理槽（６０）が１つの容器（１１）に収まるように配されているものでは、前処理槽（２０）および後処理槽（６０）を別々の容器（１１）に収めないで済み、さらに部品点数が減って、組立コストや部品コストが減少し、また、装置がさらに小型になる。さらに、前述したように、装置の外形において、凹凸や突起感が少なくなって、外観品質が向上する。
【００１９】
次に、容器（１１）にゴミ用ポリバケツを用いたものでは、わざわざ容器（１１）を特別な金型で製作しないで済み、容器（１１）のコストを大幅に削減することができるとともに、ゴミ用ポリバケツの用途を広げることができる。また、ゴミ用ポリバケツは、小型から大型まで多くの種類があり、被処理液の量に応じて、適宜な大きさのゴミ用ポリバケツを選出することができる。
【００２０】
次に、後処理槽（６０）は、前処理槽（２０）に嵌め込まれるように配されているものでは、例えば、後処理槽（６０）を前処理槽（２０）で取り巻くようにしてもよく、前処理槽（２０）に凹部を形成しておき、その凹部に後処理槽（６０）を入れるようにしてもよい。このように、後処理槽（６０）を前処理槽（２０）の中に収めることで、前処理槽（２０）および後処理槽（６０）とを上下に配しないで済み、装置全体の高さを低く抑えることができる。
【００２１】
次に、フィルター部材（３６、５６）が収納袋（３７、５７）に詰め込まれているものでは、ドレンは以下のように処理される。すなわち、１次前処理槽（３０）でドレン中の油分がフィルター部材（３６）により吸着され、油分を除いたドレンが２次前処理槽（５０）に流入すると、ドレン中の主に乳化油がフィルター部材（５６）により分離吸着される。フィルター部材（３６、５６）が所定量の油分または乳化油をそれぞれ吸着すると、フィルター部材（３６、５６）が詰め込まれた収納袋（３７、５７）は、１次前処理槽（３０）または２次前処理槽（５０）から取り出され、新たなフィルター部材（３６、５６）が詰め込まれた収納袋（３７、５７）が、１次前処理槽（３０）または２次前処理槽（５０）に入れられる。このようにして、簡単に、フィルター部材（３６、５６）の交換作業を行うことができる。
【００２２】
次に、１次前処理槽（３０）は、その１次前処理槽（３０）に被処理液を投入するための被処理液投入口（２５）が開設されているものでは、以下のように、被処理液が処理される。１次前処理槽（３０）へ圧送されない被処理液は、被処理液投入口（２５）を通して、直接１次前処理槽（３０）に投入すればよい。被処理液は、１次前処理槽（３０）を通ることで、油分が処理されたドレンは、２次前処理槽（５０）でドレン中の乳化油がある程度処理され、後処理槽（６０）で乳化油がさらに処理されるようになる。
【発明の効果】
【００２３】
本発明にかかるドレン処理装置によれば、前処理槽において、被処理液の排気を行うとともに、被処理液からドレンを得て、ドレン中の油分を除くようにしたので、後処理槽においては、ドレン中の乳化油を処理するだけでよく、前処理槽および後処理槽の２つの槽でドレンを処理することができるようになり、部品点数や組立工数が減少して、製造コストを低減することができ、また、装置全体を小型にすることができる。
【００２４】
また、前処理槽は、圧送された被処理液の油分を吸着するためのフィルター部材が充填された１次前処理槽と、１次前処理槽の下方に配され、油分を除いたドレン中の乳化油を主に処理するためのフィルター部材が充填された２次前処理槽とを備えているので、１次前処理槽および２次前処理槽でドレン中の油分および乳化油が分離吸着することで、後処理槽でドレン中の粒子がさらに細かな乳化油を処理するだけでよく、後処理槽を大型にしないで済む。さらに、前処理槽が１つの容器に収まるように配されているので、部品点数が減って、組立コストや部品コストを低減することができ、また、装置が軽量になり、さらに、装置に凹凸や突起感がなく、すっきりしたデザインになり、外観品質を向上することができる。
【００２５】
さらに、前処理槽および後処理槽が１つの容器に収まるように配されているので、前処理槽および後処理槽を別々の容器に収めないで済み、さらに部品点数が減って、組立コストや部品コストを低減することができ、また、装置が軽量になり、装置がさらにすっきりしたデザインになり、外観品質を向上することができる。さらに、容器にゴミ用ポリバケツを用いているので、わざわざ容器を製作しないで済み、容器のコストを大幅に削減することができ、また、ゴミ用ポリバケツは、小型から大型まで多くの種類があるので、被処理液の量に応じた容量のゴミ用ポリバケツを容易に選ぶことができる。
【００２６】
さらに、後処理槽が前処理槽に嵌め込まれるように配されているので、前処理槽および後処理槽とを上下に配しないで済み、装置全体の高さを低く抑えることができる。さらに、フィルター部材が収納袋に詰め込まれているので、所定量の油分または乳化油を吸着したフィルター部材に代えて新たなフィルター部材を収納袋ごと交換すればよく、フィルター部材の交換作業を容易に行うことができる。
【００２７】
さらに、被処理液投入口を通して１次前処理槽に被処理液を投入するようにし、投入された被処理液が１次前処理槽を通ることで、被処理液中の油分が処理されるようにしたので、圧送される被処理液以外の被処理液も本装置で処理することができ、使い勝手がよいものになる。
【発明を実施するための最良の形態】
【００２８】
以下、図面に基づき本発明の第１実施の形態を説明する。図１は本発明の第１実施の形態を示している。図１に示すように、ドレン処理装置１０ａは、被処理液中のドレンから主に油分を吸着するための前処理槽２０と、油分を除いたドレン中の乳化油を主に処理するための後処理槽６０とを備えている。
【００２９】
ドレン処理装置１０ａは、箱形の基台１０を備え、基台１０は収納部１３を有している。基台１０には１つの容器１１が載置されている。図１においては、容器１１を破断して、容器１１内の構成を示している。容器１１には、前処理槽２０が収まるように配されている。前処理槽２０は、圧送された被処理液を排気するとともに、油分を吸着するためのフィルター部材３６が充填された１次前処理槽３０と、その１次前処理槽３０の下方に配され、油分を除いたドレン中の乳化油を主に処理するためのフィルター部材５６が充填された２次前処理槽５０とを備えている。本実施の形態では、１次前処理槽３０と２次前処理槽５０との間には、特別な部材はないが、多数の小孔を穿設して成る部材を介在させてもよい。
【００３０】
後処理槽６０は、収納部１３に出し入れ可能に配されている。容器１１には、ゴミ用ポリバケツが用いられている。ゴミ用ポリバケツは、当該バケツの製造会社や販売会社の例えばカタログに掲載されているものから、被処理液の処理量に応じた容量のものが選ばれる。
【００３１】
連結管２２の先端部２２ａが１次前処理槽３０の中心部まで延ばされている。連結管２２の基端部２２ｂが図示省略したコンプレッサー本体の自動排水弁やエアタンクの排水弁に接続されている。図１では、コンプレッサー等から被処理液が圧送されてくる方向を左方向の矢印で示している。また、図１では、被処理液が前処理槽２０に投入される方向を下方の矢印で示している。１次前処理槽３０には、１次前処理槽３０に被処理液を直接投入するための被処理液投入口２５が開設されている。被処理液投入口２５は、ゴミ用ポリバケツの上部開口である。その被処理液投入口２５を閉じるための蓋部材１９が設けられている。
【００３２】
１次前処理槽３０は、連結管２２を通って圧送された被処理液が１次前処理槽３０を通り、さらに、容器１１と蓋部材１９との間の隙間を通って容器１１外へ排気されるように配されている。また、１次前処理槽３０は、圧送された被処理液中のドレンから主に油分（ドレンに含まれる浮上油や分散油）を吸着するための吸着材であるフィルター部材３６を備え、フィルター部材３６は網状の収納袋３７に詰め込まれている。油分が除かれたドレンが２次前処理槽５０に流れるように配されている。
【００３３】
２次前処理槽５０は、ドレン中の乳化油を分離吸着するもので、乳化油を分離吸着したドレンを取り出すための水分取出管５１が配管されている。水分取出管５１の下端部が２次前処理槽５０の底部近傍まで延び、その下端には水分取入用の口５１ａが開設されている。水分取出管５１の上端部は、１次前処理槽３０の上方に延ばされ、水分取出管５１の上端口５１ｂが容器１１内の上部の隙間Ｓ１に連通している。
【００３４】
水分取出管５１の上端部には、ドレンの圧力により２次前処理槽５０内で上昇した水分を取出すための水分取出口５１ｃが開設されている。水分取出口５１ｃには連結管５２の基端部が連結されている。連結管５２が基台１０内の後処理槽６０に延設されている。２次前処理槽５０は、乳化油吸着材であるフィルター部材５６が充填されている。フィルター部材５６は、ドレン中に含まれる比較的粒子径の小さな乳化油を分離吸着するものであり、網状の収納袋５７に詰め込まれている。
【００３５】
後処理槽６０は、筒本体６１を備え、その筒軸を上下方向にした状態で固定されている。筒本体６１の周壁下部には流入口６４が開設され、筒本体６１の上端部には流出口６６が開設されている。後処理槽６０の筒本体６１の内部には、上下端部にスペース板６５が内嵌している。スペース板６５は、筒本体６１内の上端部および下端部に隙間を設けるためのものであり、樹脂製の人工芝であってもよい。
【００３６】
両方のスペース板６５の間の空間には、下方から順に、多孔板６７、乳化油吸着材６８、乳化油分離材６９、乳化油吸着材６８および多孔板６７が充填されている。多孔板６７はプラスチック製の網であってもよい。
【００３７】
次に、ドレン処理装置１０ａの組立手順について説明する。容器１１に前処理槽２０を収める場合には、油分を吸着するための吸着材であるフィルター部材３６の必要量を収納袋３７に詰め込んでおき、また、乳化油吸着材であるフィルター部材５６の必要量を収納袋５７に詰め込んでおく。次に、２次前処理槽５０の方の収納袋５７を容器１１に収め、その上に１次前処理槽３０の方の収納袋３７を載せるようにすればよい。次に、連結管２２の先端部２２ａが１次前処理槽３０の中央部に位置するように、連結管２２を１次前処理槽３０に通す。
【００３８】
また、基台１０の収納部１３内に後処理槽６０を固定し、連結管７１を後処理槽６０の流出口６６に接続する。次に、水分取出管５１を１次前処理槽３０および２次前処理槽５０内に配管し、水分取出管５１の連結管５２を後処理槽６０側の流入口６４に接続した連結管５２と連結する。
【００３９】
次に、ドレン処理装置１０ａにおいて、被処理液がどのように処理されるかについて作用を説明する。図外のコンプレッサー本体等から被処理液が連結管２２を通り、連結管２２の先端部２２ａから１次前処理槽３０の中央部に圧送される。圧送された被処理液は、１次前処理槽３０を通り、容器１１と蓋部材１９との間の被処理液投入口２５を通って、容器１１の外に排気される。一方、１次前処理槽３０を通ることで、被処理液からドレンが得られ、ドレン中の油分がフィルター部材３６によって吸着される。したがって、油分が吸着されたドレンが１次前処理槽３０から２次前処理槽５０に流れるようになる。
【００４０】
一方、１次前処理槽３０に被処理液を直接投入する場合には、蓋部材１９を外して被処理液投入口２５を開き、被処理液を１次前処理槽３０へ投入すればよい。投入された被処理液は、１次前処理槽３０を通ることで、ドレン中の油分が吸着されるようになる。それにより、１次前処理槽３０へ圧送されない被処理液は、被処理液投入口２５を通して、直接前処理槽２０に投入することができる。
【００４１】
２次前処理槽５０に流入されたドレンは、主として、比較的粒子径の小さな乳化油が乳化油吸着材であるフィルター部材５６によって分離吸着される。乳化油が除外されたドレンは、水分取出口５１ｃから連結管５２を通って後処理槽６０に流入する。フィルター部材３６、５６が油分あるいは乳化油を所定量吸着した場合には、収納袋３７、５７ごと交換すればよく、交換作業が容易である。
【００４２】
後処理槽６０の筒本体６１内に流入したドレン中の水分は、後処理槽６０の筒本体６１をゆっくりした速さで上昇し、先ず、乳化油吸着材６８によって、乳化油が吸着される。次に、乳化油分離材６９内をゆっくりした速さでさらに上昇し、乳化油分離材６９によって、エマルジョン化した油の微粒子を破壊し、さらに粗粒化して、油分を吸着する。次に、乳化油吸着材６８内をゆっくりした速さでさらに上昇し、乳化油分離材６９によって吸着しきれなかった油分が完全に吸着される。被処理液がゆっくりした速さで後処理槽６０内を上昇するため、乳化油吸着材６８および乳化油分離材６９により確実に被処理液を分離吸着することができる。油分が完全に吸着された処理済液は、流出口６６から連結管７１を通って基台１０の外に流出する。
【００４３】
前記第１実施の形態においては、容器１１としてゴミ用ポリバケツを用いたものを示したが、１次前処理槽３０、２次前処理槽５０および後処理槽６０を収めることができる容器であり、容器製造会社や販売会社が提供するものであれば、どのようなものであってもよい。
【００４４】
図２は、本発明の第２実施の形態を示している。前記第１実施の形態では、前処理槽２０が１つの容器１１に収まるように配されたものを示したが、本第２実施の形態では、前処理槽２０および後処理槽６０が１つの容器１１に収まるように配されている。また、後処理槽６０は、前処理槽２０に嵌め込まれるように配されている。
【００４５】
次に、ドレン処理装置１０ａの組立手順について説明する。容器１１に前処理槽２０および後処理槽６０を収める場合には、例えば、後処理槽６０を２次前処理槽５０で取り巻くようにして、２次前処理槽５０と後処理槽６０とを一体的にし、その一体的にしたものを容器１１に収め、その上に１次前処理槽３０を載せるようにすればよい。次に、連結管２２の先端部２２ａが１次前処理槽３０の中央部に位置するように、連結管２２を１次前処理槽３０に通す。また、連結管７１を２次前処理槽５０に通して、後処理槽６０の流出口６６に接続する。
【００４６】
次に、ドレンがどのように処理されるかについて説明する。前処理槽２０の１次前処理槽３０で被処理液が排気されるとともに、ドレンを得て、ドレン中の油分が吸着され、油分を除いたドレンが１次前処理槽３０から２次前処理槽５０に流れるようになり、２次前処理槽５０でドレン中の主に乳化油が吸着されるのは、前記第１実施の形態と同様である。
【００４７】
しかし、本第２実施の形態では、前記第１実施の形態に係る水分取出管５１を備えてなく、２次前処理槽５０と後処理槽６０とが流入口６４で連通していて、２次前処理槽５０で乳化油が除かれたドレンは、後処理槽６０の流入口６４から後処理槽６０内に流入するようになる。後処理槽６０内に流入したドレンは、前記第１実施の形態と同じく、乳化油吸着材６８および乳化油分離材６９により確実に被処理液を分離吸着することができる。油分が完全に吸着された処理済液は、流出口６６から連結管７１を通って基台１０の外に流出するようになる。
【００４８】
このように、第２実施の形態においては、前処理槽２０および後処理槽６０が１つの容器１１に収まるように配されているので、前処理槽２０および後処理槽６０を別々の容器１１に収めないで済み、部品点数が減少する。したがって、組立コストや部品コストを低減することができる。また、装置が軽量になる。さらに、装置がすっきりしたデザインになる。
【図面の簡単な説明】
【００４９】
【図１】本発明の第１実施の形態に係るドレン処理装置の容器および基台を破断して内部構成を示した断面図である。
【図２】本発明の第２実施の形態に係るドレン処理装置の容器および基台を破断して内部構成を示した断面図である。
【符号の説明】
【００５０】
Ｓ１…隙間
１０…基台
１０ａ…ドレン処理装置
１１…容器
１３…収納部
１９…蓋部材
２０…前処理槽
２２…連結管
２２ａ…先端部
２２ｂ…基端部
２５…被処理液投入口
３０…１次前処理槽
３６、５６…フィルター部材
３７、５７…収納袋
５０…２次前処理槽
５１…水分取出管
５１ａ…水分取入用の口
５１ｂ…上端口
５１ｃ…水分取出口
５２…連結管
６０…後処理槽
６１…筒本体
６４…流入口
６５…スペース板
６６…流出口
６７…多孔板
６８…乳化油吸着材
６９…乳化油分離材
７１…連結管
【図１】
2005111308.tif 000003
【図２】
2005111308.tif 000004